(57)【要約】      （修正有）【課題】ズレにくく、装飾性が高く、品質、安全、ならびにマスクを使用する人への適合性を判断するための表示を有する立体Ｖ字マスクを提供する。【解決手段】立体Ｖ字マスク１は、耳掛紐通し５の始点をマスクのほぼ上辺位置とし、終点までの概略幅を一般的な成人または子供の耳介付着部長〜耳長の範囲にするとともに、マスク中央部のマスクの上辺から下辺に向けての所定長を直線状２に形成し、以降を湾曲状３に形成し、重ねる不織布の内部の布にもカラーグラディションなどの装飾を施し、マスクに管理番号を表記し、所定の高温高圧で加熱殺菌して真空包装する。また使用する人の適合性を判断するために、鼻頭から顎までのサイズを表示する。【選択図】図１
0003228680.tif 000002
【実用新案登録請求の範囲】
【請求項１】
ノーズワイヤーを設けず、耳掛紐通しの始点をマスクのほぼ上辺位置とし、終点までの概略幅を一般的な成人または子供の耳介付着部長〜耳長の範囲にするとともに、マスク中央部のマスクの上辺から下辺に向けての所定長を直線状に形成し、以降を湾曲状に形成することにより、マスクの上辺がほぼ頬骨の上に配置される、立体Ｖ字マスク。
【請求項２】
短辺のノーズワイヤーを設け、耳掛紐通しの始点をマスクのほぼ上辺位置とし、終点までの概略幅を一般的な成人または子供の耳介付着部長〜耳長の範囲にするとともに、マスク中央部のマスクの上辺から下辺に向けての所定長を直線状に形成し、以降を湾曲状に形成することにより、マスクの上辺がほぼ頬骨の上に配置される、立体Ｖ字マスク。
【請求項３】
耳掛紐通しの始点をマスクのほぼ上辺位置とし、終点までの幅を耳介付着部長〜耳長の範囲でマスク使用者の最適幅に設定する調節構造を備えた、請求項１，請求項２に記載する立体Ｖ字マスク。
【請求項４】
手の上に載せると透けて見える薄膜の不織布を複数枚重ねて形成するとともに、重ねる不織布の色をそれぞれ選択することにより、色の重なりによって多彩な色を表現できる、請求項１，２，３に記載する立体Ｖ字マスク。
【請求項５】
マスクの表面に限らず重ねる不織布の内部の布にも文字、画像や、カラーグラディションなどを表示することにより、奥行き感を有する表示が可能な、請求項１，２，３，４に記載する立体Ｖ字マスク。
【請求項６】
マスクに生産管理番号を表記することにより品質クレームへの迅速な対応を可能とする、請求項１，２，３，４，５に記載する立体Ｖ字マスク。
【請求項７】
商品を所定の高温高圧で加熱殺菌し、真空包装することにより信頼性、安全性を高める、請求項１，２，３，４，５，６に記載する立体Ｖ字マスク。
【請求項８】
マスクを使用する人による適合性を判断するため、Ｌサイズを起点としてサイズを細分化し、鼻頭から顎までのサイズなどの規格値を表示する、請求項１，２，３，４，５，６，７に記載する立体Ｖ字マスク。
【考案の詳細な説明】
【技術分野】
【０００１】近年のコロナウイルスの世界的な広がりにより、ウイルス感染を防ぐためマスクの装着が季節を問わず習慣となりつつあり、多種多様な商品が多くのメーカーから販売されています。現在一般的に市販されているマスクは、襞が複数ついているプリーツマスクと襞の無い立体マスクとが有りますが、何れも会話中やガムを噛むなどした場合にズレ易く、装飾的にも未成熟であり、更には衛生面で高い品質を必要とする商品に反して、品質、安全、ならびにマスクを使用する人への適合性を判断する表示などが十分とは言えない。
【背景技術】
【０００２】マスクには襞が複数ついているプリーツマスクと襞の無い立体マスクとが有りますが、立体マスクの方が顔の形に沿っている分プリーツマスクよりフィット感が有り、息苦しさが少なく、喋りやすいなどで利点は多いが、反面プリーツマスクよりズレ易いことが大きな問題であるとともに、マスクの表色を変えたり、表に簡単なマークを表示する程度の装飾性であり、更には衛生商品であるべきマスクの品質、安全、ならびにマスクを使用する人への適合性を判断する表示などが十分とは言えない。
【考案が解決しようとする課題】
【０００３】立体マスクはプリーツマスクに比べて顔のラインに沿った形のため隙間なくフィット性が有り、メガネが曇り難く、口に当たり難いため喋りやすく、口紅の色移りが余り無いなど、使用者にとっての評価は高いが、プリーツ型と比較してズレ易いとの指摘が有るとともに、もう少し装飾性を高めて貰いたい、更には衛生商品にしては、品質、安全、ならびにマスならびにマスクを使用する人への適合性を判断するための表示などへの改善が強く求められている。
【課題を解決するための手段】
【０００４】耳掛紐通しの始点をマスクのほぼ上辺位置とし、終点までの概略幅を一般的な成人または子供の耳介付着部長〜耳長の範囲にするとともに、マスク中央部のマスクの上辺から下辺に向けての所定長を直線状に形成し、以降を湾曲状に形成し、重ねる不織布の内部の布にもカラーグラディションなどの装飾を施し、マスクに管理番号を表記し、所定の高温高圧で加熱殺菌して真空包装し、例えば鼻頭から顎までのサイズを表示する。
【考案の効果】
【０００５】マスクの上辺がほぼ頬骨の上に配置される構造にしてズレを防ぎ、手の上に載せると透けて見える薄膜の不織布を複数枚重ねて形成する内部の布にカラーグラディションなどを表示して装飾性を高め、マスクに生産者管理番号を表記して品質管理、品質クレームへの対応を徹底し、高温高圧の加熱殺菌、真空包装により品質、安全性の向上を図り、サイズなどの規格値を表示して使用者への適合性を確認し易くするなど、従来の立体マスクが抱えていた課題を全て解決している。
【考案を実施するための形態】
【０００６】図１に本考案に基づく立体Ｖ字マスクの構成概念図を示す。１は立体マスク本体、マスク中央部のマスクの上辺から下辺に向けての所定長を直線状２に形成し、以降を湾曲状３に形成し、４は耳掛紐、５は耳掛紐通しを示す。耳掛紐通しの幅を一般的な成人または子供それぞれの耳介付着部長〜耳長の範囲とすることにより、図４に示すごとく、耳掛紐を耳に装着した状態では、耳掛紐の上紐と下紐とはほぼ平行状態に近く、マスクの上辺にはノイズワイヤーが無い構造では、マスクの布の上辺が頬骨の突起段差の下辺にほぼ沿うことにより、マスクの下方向へのズレが確実に規制される。一般的なマスクの上辺全幅のノイズワイヤーが有る場合は、ワイヤーが顔の凹凸によって部分的な浮きが生じ、マスクの上辺を頬骨の突起段差に確実に沿わせることが困難であり隙間が生じ易い。さらに一般的なマスクはマスクの上辺から下辺までを湾曲状に形成しているが、これでは鼻の突起部の直線形状には適合し難くズレ易いため、マスク中央部のマスクの上辺から下辺に向けての所定長を直線状２に形成して鼻との接触部におけるズレを防いでいる。またこの直線状２はマスクを装着した人の鼻筋が通って鼻が高く見える副次効果も有る。なお、平均的な耳介付着部長〜耳長の成人平均は６ｃｍ〜７ｃｍ程度、子供平均は４ｃｍから５ｃｍ程度である。
【０００７】マスクを手の上に載せると透けて見える薄膜の不織布を複数枚重ねて形成する場合は、重ねる不織布の色を選ぶことにより薄膜による色の重なりによって多様な表示色が得られる。また、単純な色に限らずカラーグラディションを適用したり、図５に示すごとく画像やイラストを表示することにより、奥行感の有る幻想的な装飾が可能となり装飾性が高まる。また、マスクの管理番号シールを貼付ることにより、製品のクレームに迅速に対応するとともに生産責任も明確になる。マスクの製造過程において、製品を真空包装し、６０℃以上の高温高圧で加熱殺菌することで製品の安全性、ならびに品質を高めるとともに、Ｌサイズを起点として９５％、９０％、８５％などと細分化して、それぞれの鼻頭から顎までの距離を表示して、マスク使用者への適応性の判断を容易にする。
【０００８】図２は立体マスクの耳掛紐通しの幅を一般的な成人または子供それぞれの耳介付着部長〜耳長の幅に適合させるために、耳掛紐通しにおいて耳掛紐を引き出す終点位置を図３による調整治具でマスクの使用者毎に最適に設定する構成概念図を示す。図３ではワニ口状の小型で簡単なアルミ金具で耳掛紐通し部に耳掛紐をカシメ圧接して規制する例を示しているが、材質、構造は限定されず、例えば、耳掛紐を引き出す位置に引き出し穴を複数形成しておいて、耳掛紐を所要の穴から引き出して連結するなど多様な方法が考えられる。さらに、マスクの鼻の部分にマスクの上辺の長さで変形自在な細いワイヤーを挿入して、装着する人の顔の凹凸にマスクを合わせて密着性を確保する構造も有効では有るが、図６に示すように鼻の突起のみに沿わせる程度の短いノーズワイヤーをマスクの上辺中央部に設ける構造は、ノーズワイヤーが顔の複雑な凹凸に影響されず、眼鏡における鼻パッドと同じ鼻押効果となり、頬骨段差、直線部との相乗効果によってマスクのズレを止める効果は極めて大きい。以上説明するように、本考案による立体マスクがプリーツ型と比較してズレ易い、もう少し装飾性を高めて貰いたい、更には衛生商品にしては、品質、安全、ならびにマスならびにマスクを使用する人による適合性を判断するための表示などへの強い改善要求のほぼ全てを解決している。
【実施例】
【０００９】立体Ｖ字マスクの基本素材としては、ポリプロピレン不織布を使用し、耳掛紐通し部を６．５ｍｍの成人用で形成した。直線状部は３０ｍｍとし、湾曲状部は顎のカバーを考慮して半径を１５５ｍｍとした。耳掛紐はφ３ｍｍのマスク用ゴム紐を使用してノーズワイヤー無のタイプを形成し評価した結果、期待通り、マスク装着状態での会話、ガム噛みなどに於いてのズレは殆ど無く、５枚の不織布の色を最表を白色として、２枚目に虫かご、３枚目にてんとう虫、４枚目にクローバー、５枚目に青空を彩画した結果、てんとう虫が奥行の有る空間内に綺麗に表現されました。また、マスクの使用者毎に最適に設定する構造はカシメ圧接に限らずフック、クリップなどでも良い。以上のように、本考案による立体Ｖ字マスクは立体マスクの最大の欠点であるズレを確実に抑制する効果が認められるとともに、装飾性も向上し、マスクを一つのファッションとして利用される可能性を提示しています。なお、適用する素材、構造、ディメンジョンなどに関しては、本考案の趣旨を逸脱しない範囲で有れば種々変形実施が可能である。
【図面の簡単な説明】
【００１０】
【図１】本考案による立体Ｖ字マスクの構成概念図を示す
【図２】耳介付着部長を調整する機能を備えた立体Ｖ字マスクの構成概念図を示す
【図３】耳掛紐通しの終点位置を調節する調整具の概念図を示す
【図４】本考案による立体Ｖ字マスクを顔に装着した状態の概念図を示す
【図５】本考案による立体Ｖ字マスクに画像を表示した状態の概念図を示す
【図６】本考案による立体Ｖ字マスクにノーズワイヤーを備えた構成概念図を示す
【符号の説明】１．  立体Ｖ字マスク
２．  直線状部
３．  湾曲状部
４．  耳掛紐
５．  耳掛紐通し部
６．  耳介付着部長調整具
７．  耳朶
８．  眼鏡
９．  表示画像
１０．鼻
１１．ノーズワイヤー
【図１】
0003228680.tif 000003
【図２】
0003228680.tif 000004
【図３】
0003228680.tif 000005
【図４】
0003228680.tif 000006
【図５】
0003228680.tif 000007
【図６】
0003228680.tif 000008